(57)【要約】【課題】  印刷装置を管理するための管理情報を消去せずに、新たに生成される管理情報を記憶するための記憶容量を確保して、当該管理情報の管理を柔軟に行うことが可能な印刷用制御装置、印刷装置、印刷システム及び印刷用プログラムを提供することを目的とする。【解決手段】  印刷装置を管理するために生成される管理情報の情報量が記憶手段の残存記憶容量を超える場合に、記憶手段に既に記憶された管理情報の情報量を縮減する縮減手段を有することを特徴としている。また、管理情報は、印刷装置の使用体を識別するための識別情報及び識別情報毎の印刷枚数情報を含み、縮減手段が、識別情報または印刷枚数情報のいずれかの字数を省略することを特徴としている。【選択図】  図２
2008062528.tif 000002
【特許請求の範囲】
【請求項１】
印刷装置を管理するために生成される管理情報の情報量が記憶手段の残存記憶容量を超える場合に、前記記憶手段に既に記憶された管理情報の情報量を縮減する縮減手段を有することを特徴とする印刷用制御装置。
【請求項２】
前記管理情報は、印刷装置の使用体を識別するための識別情報及び前記識別情報毎の印刷枚数情報を含み、
前記縮減手段は、前記識別情報または印刷枚数情報のいずれかの字数を省略することを特徴とする請求項１に記載の印刷用制御装置。
【請求項３】
前記縮減手段は、優先順位に基づいて、前記印刷枚数情報の下位の桁を省略することを特徴とする請求項２に記載の印刷用制御装置。
【請求項４】
前記縮減手段は、前記識別情報の重複部分を省略することを特徴とする請求項２に記載の印刷用制御装置。
【請求項５】
前記管理情報は、前記識別情報を分類して関連付ける関連情報を含み、
前記縮減手段は、前記識別情報を前記関連情報毎に集約することを特徴とする請求項２に記載の印刷用制御装置。
【請求項６】
前記縮減手段は、前記関連情報の数が少ない順番で集約することを特徴とする請求項５に記載の印刷用制御装置。
【請求項７】
使用体を識別するための識別情報及び前記識別情報毎の印刷枚数情報を備える管理情報を記憶する記憶手段と、
前記管理情報の情報量が前記記憶手段の残存記憶容量を超える場合に、前記記憶手段に既に記憶された管理情報の情報量を縮減する縮減手段と
を有することを特徴とする印刷装置。
【請求項８】
操作に応じて印刷情報を生成する端末装置と、
前記印刷情報に応じて生成され、使用体を識別するための識別情報及び前記識別情報毎の印刷枚数情報を備える管理情報を記憶する記憶手段と、前記管理情報の情報量が前記記憶手段の残存記憶容量を超える場合に、前記記憶手段に既に記憶された管理情報の情報量を縮減する縮減手段とを具備する印刷装置と
を有することを特徴とする印刷システム。
【請求項９】
コンピュータを、
印刷装置を管理するために生成される管理情報の情報量が記憶手段の残存記憶容量を超える場合に、前記記憶手段に既に記憶された管理情報の情報量を縮減する縮減手段として機能させるための印刷用プログラム。
【発明の詳細な説明】
【技術分野】
【０００１】
本発明は印刷装置に関し、特に、印刷装置におけるメモリの有効利用に関する。
【背景技術】
【０００２】
印刷装置では、例えばユーザを管理するためのユーザ履歴や印刷枚数を管理するための印刷履歴等、印刷装置を管理するための管理情報がメモリ（以下、記憶装置という。）に記憶されている。利用量に応じた課金制度が設定されている場合や、用紙の無駄使いを防止する場合等に、当該管理情報が使用される。
【０００３】
このような印刷装置に対し、例えば特許文献１では、使用履歴が最も古い管理情報の一部を消去することで、印刷装置の記憶装置がオーバーフローすることを防止している。また、特許文献２では、管理者が管理する部門の数から最適な部門別印刷枚数カウンタの数を算出する演算手段を使用することで、管理者は部門の数の増減があっても、その部門の数に応じた部門ごとの印刷枚数を管理できるようにしている。
【特許文献１】特開平５−２１２９１７号公報
【特許文献２】特開２００４−３１８２２５号公報
【発明の開示】
【発明が解決しようとする課題】
【０００４】
ところで、特許文献１に示す印刷装置においては、管理情報の一部を消去しているため、それまでに蓄積された管理情報は完全な状態で記憶されておらず、再度、管理情報を利用することは不可能となる。また、特許文献２に示す印刷装置においては、算出された部門別印刷枚数カウンタの数とそれに対応する部門数が固定値として決定されるため、当該固定値を超えての部門別印刷枚数カウンタの数を用いて管理情報を管理することはできない。さらに、当該固定値の設定変更がされない限り、部門別印刷枚数カウンタの数とそれに対応する部門数が固定されるため、管理状況に応じた管理情報の柔軟な管理ができない。
【０００５】
本発明は、このような事情に鑑みてなされたものであり、管理情報を消去せずに、新たに生成される管理情報を記憶するための記憶容量を確保して、当該管理情報の管理を柔軟に行うことが可能な印刷用制御装置、印刷装置、印刷システム及び印刷用プログラムを提供することを目的とする。
【課題を解決するための手段】
【０００６】
本発明の印刷装置用制御装置は、印刷装置を管理するために生成される管理情報の情報量が記憶手段の残存記憶容量を超える場合に、記憶手段に既に記憶された管理情報の情報量を縮減する縮減手段を有することを特徴としている。
【０００７】
また、本発明は、管理情報が、印刷装置の使用体を識別するための識別情報及び識別情報毎の印刷枚数情報を含み、縮減手段は、識別情報または印刷枚数情報のいずれかの字数を省略することを特徴としている。
【０００８】
また、本発明は、縮減手段が、優先順位に基づいて、印刷枚数情報の下位の桁を省略することを特徴としている。
【０００９】
また、本発明は、縮減手段が、識別情報の重複部分を省略することを特徴としている。
【００１０】
また、本発明は、管理情報が、識別情報を分類して関連付ける関連情報を含み、縮減手段は、識別情報を関連情報毎に集約することを特徴としている。
【００１１】
また、本発明は、縮減手段が、関連情報の数が少ない順番で集約することを特徴としている。
【００１２】
また、本発明の印刷装置は、使用体を識別するための識別情報及び識別情報毎の印刷枚数情報を備える管理情報を記憶する記憶手段と、管理情報の情報量が記憶手段の残存記憶容量を超える場合に、記憶手段に既に記憶された管理情報の情報量を縮減する縮減手段とを有することを特徴としている。
【００１３】
また、本発明の印刷システムは、操作に応じて印刷情報を生成する端末装置と、印刷情報に応じて生成され、使用体を識別するための識別情報及び識別情報毎の印刷枚数情報を備える管理情報を記憶する記憶手段と、管理情報の情報量が記憶手段の残存記憶容量を超える場合に、記憶手段に既に記憶された管理情報の情報量を縮減する縮減手段とを具備する印刷装置とを有することを特徴としている。
【００１４】
また、本発明の印刷用プログラムは、コンピュータを、印刷装置を管理するために生成される管理情報の情報量が記憶手段の残存記憶容量を超える場合に、記憶手段に既に記憶された管理情報の情報量を縮減する縮減手段として機能させることを特徴としている。
【発明の効果】
【００１５】
請求項１によれば、既に記憶された管理情報が縮減手段によって縮減されるため、記憶手段に新たな管理情報を記憶するための記憶容量が確保できる。
【００１６】
請求項２によれば、管理情報に含まれる識別情報または印刷枚数情報のいずれかの字数を省略することで、記憶手段の記憶容量を確保できる。
【００１７】
請求項３によれば、印刷枚数情報の下位の桁を省略することで、記憶手段の記憶容量を確保できる。
【００１８】
請求項４によれば、識別情報の重複部分を省略することで、記憶手段の記憶容量を確保できる。
【００１９】
請求項５によれば、管理情報に含まれる関連情報毎に識別情報を集約することで、記憶手段の記憶容量を確保できる。
【００２０】
請求項６によれば、関連情報の少ない順番に集約することで、記憶手段の記憶容量を確保できる。
【００２１】
請求項７によれば、既に記憶された管理情報が縮減手段によって縮減されるため、記憶手段に新たな管理情報を記憶するための記憶容量が確保できる。
【００２２】
請求項８によれば、既に記憶された管理情報が縮減手段によって縮減されるため、記憶手段に新たな管理情報を記憶するための記憶容量が確保できる。
【００２３】
請求項９によれば、既に記憶された管理情報が縮減手段によって縮減されるため、記憶手段に新たな管理情報を記憶するための記憶容量が確保できる。
【発明を実施するための最良の形態】
【００２４】
以下、本発明の実施の形態について、図面を参照して具体的に説明する。
（第１実施形態）
図１は本発明の第１実施形態に係る印刷システムの構成図である。
印刷システムは、図１に示すように、端末装置１００ａ〜１００ｍ、印刷装置２００等から構成されており、端末装置１００ａ〜１００ｍと印刷装置２００とは、ケーブルやネットワーク機器等を介して直接接続される。尚、端末装置１００ａ〜１００ｍと印刷装置２００とは、電波や赤外線等の無線通信を介して間接的に接続させてもよい。
【００２５】
端末装置１００ａ〜１００ｍは、それぞれコンピュータ１３０ａ〜１３０ｍ、コンピュータ１３０ａ〜１３０ｍにそれぞれ接続される表示装置１１０ａ〜１１０ｍ及びマウス１２０ａ〜１２０ｍ等から構成される。以下において、一例として端末装置１００ａについて説明する。
【００２６】
表示装置１１０ａは、液晶ディスプレイ、ＣＲＴディスプレイ等から構成される。表示装置１１０ａは表示画面上に印刷装置２００に印刷させる印刷書類情報（図１において印刷書類Ａと示す。）やマウス１２０ａに対応するマウスポインタ１１１ａを表示する。印刷システムを操作する操作者はそれぞれマウス１２０ａを移動させることにより、マウスポインタ１１１ａを表示画面上で動作させ、コンピュータ１３０ａに印刷指示等を送信する。
【００２７】
コンピュータ１３０ａは、ＣＰＵ（Central Processing Unit）等の処理装置、ＤＲＡＭ(Dynamic Random Access Memory)、ＳＲＡＭ（Static RAM）、ＨＤ（Hard Disc）等の記憶装置、ソフトウェア等から構成される。そして、表示装置１１０ａやマウス１２０ａの動作を制御すると共に、印刷装置２００との間でＰＤＬ(Page Description Language：ページ記述言語)に変換された印刷情報など各種情報を授受する。
【００２８】
印刷装置２００は、端末装置１００ａから送信される印刷情報に応じて、用紙に画像を印刷し、当該用紙を排紙する。印刷装置２００としては例えばコピー、ファクシミリ、プリンタ等の機能を備えた複合機であってもよい。
【００２９】
さらに印刷装置２００について図面を参照して詳細に説明する。
図２は印刷装置２００の要部を示す機能ブロック図である。尚、図２に示す各機能ブロックは、ＣＰＵ等の処理装置、ＳＲＡＭやＤＲＡＭ等の半導体記憶装置、ハードウェア及び所要のソフトウェア等によりそれぞれ構成される。
【００３０】
印刷装置２００は、図２に示すように、入出力部１３１、ジョブ処理部１３２、管理情報制御部１３３、管理情報縮減部１３４、管理情報記憶部１３５、印刷部１３６等から構成される。尚、管理情報制御部１３３、管理情報縮減部１３４等から本発明の縮減手段が構成される。
【００３１】
入出力部１３１は、端末装置１００ａと接続するための複数のインターフェース、例えば、ＵＳＢやパラレルポート、その他ソフトウェア等で構成される。入出力部１３１は、端末装置１００ａ等からの印刷情報を受信すると共に、ユーザに対するアラーム等の各種情報を端末装置１００ａ等へ送信する。
【００３２】
ジョブ処理部１３２は、インタープリタ等で構成され、入出力部１３１から用紙の１ページ分に相当する印刷情報を取得し、ＰＤＬに変換された印刷情報を解析する。そして、解析結果から用紙に画像として描画する描画情報をページ毎に生成し、印刷部１３６に印刷指令を送出すると共に、印刷部１３６の動作を制御する。また、印刷指令を送出する際、またはその前後に、印刷装置を管理するための管理情報を管理情報制御部１３３へ送出する。
【００３３】
管理情報制御部１３３は、ジョブ処理部１３２からの管理情報を受信し、管理情報記憶部１３５に履歴として記憶する。管理情報は、例えば、印刷装置の使用体を識別するための識別情報、使用体が使用した印刷枚数の計数結果である印刷枚数情報、識別情報を分類して関連付ける関連情報、印刷色を識別するための印刷色情報等から構成される。尚、使用体は、ユーザ、ユーザの属するグループ、部門、拠点等、印刷装置を使用する主体であれば、これらに限られるものではない。
【００３４】
また、管理情報制御部１３３は、管理情報記憶部１３５の残存記憶容量が、新たに管理される管理情報の情報量を下回る場合、すなわち、管理情報の情報量が残存記憶容量を超える場合には、既に管理情報記憶部１３５に記憶されている管理情報を抽出し、新たに記憶される管理情報と共に、管理情報縮減部１３４に送出する。さらに、管理情報縮減部１３４において縮減された管理情報を管理情報記憶部１３５に再び記憶する。
【００３５】
管理情報縮減部１３４は、管理情報制御部１３３からの管理情報を受信し、縮減すべき項目を決定してから、当該管理情報の情報量を縮減する。より詳しくは、例えば管理情報に印刷装置のユーザごとの印刷枚数情報が含まれている場合には、印刷枚数が少ないユーザを上位とする優先順位付けを行い、上位の印刷枚数情報の下位桁を省略したり、ユーザに関する識別情報の重複した部分を省略したり、関連情報に基づいて集約したりすることで、管理情報の情報量を縮減する。尚、管理情報縮減部１３４は、管理情報記憶部１３５の記憶領域の順序に基づいて優先順位付けを行い、管理情報の情報量を縮減するようにしてもよい。
【００３６】
印刷部１３６は、用紙を給紙する給紙口、用紙を排紙する排紙口、感光ドラムやトナー等で構成され、ジョブ処理部１３２から取得した描画情報に応じた用紙への印刷処理、用紙の給紙・排紙処理等を行う。
【００３７】
続いて、印刷装置２００の動作について図面を参照して説明する。
図３は印刷装置の処理の一例を示すフローチャート、図４（ａ）は縮減処理前の管理情報記憶部の一例を示す概念図、図４（ｂ）は縮減処理後の管理情報記憶部の一例を示す概念図である。
【００３８】
印刷装置２００は、まず、図３に示すように、管理情報記憶部１３５の残存記憶容量が新たに管理する管理情報の情報量より大きいか否かを判断する（ステップＳ１）。そして、残存記憶容量が管理情報の情報量以下である場合には、まだ、省略されていない印刷枚数情報の中から最も使用頻度の低い印刷枚数情報を優先順位として検索する（ステップＳ２）。尚、優先順位に基づいて検索する場合、例えば、ＬＲＵ（Least Recently Used）アルゴリズムやＬＦＵ（Least Frequently Used）アルゴリズム等、既知のアルゴリズムを用いることができる。例えば、図４（ａ）に示すように、最も使用頻度の低い印刷枚数情報は、「ＵＳＥＲ２（ＤＥＰＴ.Ｂ）」の「１１８８」が該当する。
【００３９】
さらに、検索された印刷枚数情報の下位桁を省略し（ステップＳ３）、再度、ステップＳ１の処理を行う。例えば、図４（ｂ）に示すように、検索された「１１８８」が第３位で四捨五入され、千の単位を表す「Ｋ(kilo)」等を使用して、「１Ｋ」と省略される。
【００４０】
ここで、ステップＳ１の処理において、印刷装置２００は、残存記憶容量が新たな管理情報の情報量以下であると判断した場合には、さらに、まだ省略されていない印刷枚数情報の中から最も使用頻度の低い印刷枚数情報を検索し、下位桁を省略する。例えば、図４（ａ）に示すように、まだ省略されていない印刷枚数情報のうち、最も使用頻度の低い印刷枚数情報は、「ＵＳＥＲ０（ＤＥＰＴ.Ａ）」の「１４３０」が該当し、図４（ｂ）に示すように、検索された「１４３０」が第３位で四捨五入され、「１Ｋ」と省略される。さらに、ステップＳ１の処理条件を満たさない場合には、次に検索される「ＵＳＥＲ４（ＤＥＰＴ.Ｃ）」の「１７４２」が該当し、図４（ｂ）に示すように、検索された「１７４２」が第３位で四捨五入され、「２Ｋ」と省略される。
【００４１】
したがって、印刷装置２００は、残存記憶容量が新たに管理される管理情報の情報量より大きいと判断するまで縮減処理を行い、残存記憶容量が新たに管理される管理情報の情報量より大きいと判断した場合に、管理情報を記憶するだけの記憶容量を確保できたと判断できる。このように、管理情報を記憶するだけの容量が管理情報記憶部に不足していても、概算値を残すことにより、管理情報が消去されることを防止でき、印刷装置２００を管理する管理者にとって管理がし易くなる。
【００４２】
（第２実施形態）
次に、本発明の第２実施形態にかかる印刷装置の動作について図面を参照して説明する。
図５は印刷装置の処理の一例を示す他のフローチャート、図６（ａ）は縮減処理前の管理情報記憶部の一例を示す他の概念図、図６（ｂ）は縮減処理後の管理情報記憶部の一例を示す他の概念図である。
【００４３】
印刷装置２００は、まず、図５に示すように、管理情報記憶部１３５の残存記憶容量が新たに管理される管理情報の情報量より大きいか否かを判断する（ステップＳ１１）。そして、残存記憶容量が新たな管理情報の情報量以下である場合には、識別情報における重複文字を省略する（ステップＳ１２）。例えば、図６（ａ）に示すように、各識別情報の中で、「ＤＥＰＴ.」が重複する。したがって、図６（ｂ）に示すように、各識別情報の「ＤＥＰＴ.」が省略される。さらに、残存記憶容量が新たな管理情報の情報量以下である場合には、識別情報が識別可能となる限りにおいて縮減することができ、例えば、各識別情報の「ＳＥＲ」を省略して、記憶容量を確保するようにしてもよい。
【００４４】
したがって、印刷装置２００は、第１実施形態と同様に、残存記憶容量が新たに管理される管理情報の情報量より大きいと判断するまで縮減処理を行い、残存記憶容量が新たに管理される管理情報の情報量より大きいと判断した場合に、管理情報を記憶するだけの記憶容量を確保できたと判断できる。このように、管理情報を記憶するだけの容量が管理情報記憶部に不足していても、他の識別情報と識別可能な状態で管理情報の情報量を縮減するので、管理情報が消去されることを防止でき、印刷装置２００を管理する管理者にとって管理がし易くなる。
【００４５】
（第３実施形態）
次に、本発明の第３実施形態にかかる印刷装置の動作について図面を参照して説明する。
図７は階層管理されるユーザの概念図、図８は縮減処理前の管理情報記憶部の一例を示す概念図、図９は縮減処理前の管理情報記憶部の一例を示す他の概念図、図１０は印刷装置の処理の一例を示すフローチャート、図１１は縮減処理後の管理情報記憶部の一例を示す概念図、図１２は縮減処理後の管理情報記憶部の一例を示す他の概念図である。
【００４６】
第３実施形態では、図７に示すように、階層管理されたユーザ毎に、印刷枚数が計数される実施形態である。すなわち、識別情報としての各ユーザは、関連情報としてのグループで関連付いている。例えば、印刷装置２００は、図８に示すように、関連情報「意匠」の識別情報「ＵＳＥＲ７」、関連情報「特許」の識別情報「ＵＳＥＲ１」及び関連情報「特許」の識別情報「ＵＳＥＲ２」の用紙別の印刷枚数を計数し、管理情報として管理情報記憶部１３５に記憶する。尚、識別情報を各グループとする場合には、関連情報を部門とすることができ、識別情報を各部門とする場合には、関連情報を拠点とすることができる。
【００４７】
ここで、図８において、管理情報記憶部１３５は、管理情報で満たされておらず、新たな管理情報を記憶する容量を有している（図８において、管理情報記憶部１３５に空き領域１３５ａがあることをハイフンで示す）。さらに、印刷装置２００を使用するユーザが増加すると、図９に示すように、管理情報記憶部１３５は管理情報で満たされ、新たな管理情報を記憶する容量を失う。
【００４８】
このような状態において、印刷装置２００に新たな管理情報が発生すると、印刷装置２００は、まず、図１０に示すように、新規なユーザであるか否かを判断する（ステップＳ２１）。ここで、新規のユーザでない場合には、当該ユーザが印刷した用紙サイズの印刷枚数を計数し、計数結果に応じた印刷枚数情報を決定し、該当するユーザの管理情報の履歴を更新する（ステップＳ２７）。
【００４９】
一方、印刷装置２００が、新規のユーザであると判断した場合には、次に、管理情報記憶部１３５の残存記憶容量が、新規のユーザを管理するための管理情報の情報量より大きいか否かを判断する（ステップＳ２２）。例えば、管理情報記憶部１３５は、図８に示すように、識別情報「ＵＳＥＲ７」、「ＵＳＥＲ１」及び「ＵＳＥＲ２」に関する印刷枚数情報を記憶するが、このような状態で、新たな識別情報「ＵＳＥＲ４」に関する印刷枚数情報を記憶する場合には、管理情報記憶部１３５は残存記憶容量を有しているので、新規のユーザを新たな管理情報として図９に示すように記憶することが可能となる（ステップＳ２６）。
【００５０】
一方、印刷装置２００は、管理情報記憶部１３５の残存記憶容量が、新規のユーザを管理するための管理情報の情報量以下である場合には、次に、階層ｎに集約可能な情報があるか否かを判断する（ステップＳ２３）。ここで、集約とは、下位の階層を関連付ける関連情報が上位の階層に存在しているか否かによって判断される。また、階層ｎは、下位の階層であるほど数が小さく、上位の階層になるほど数が大きくなる。例えば、図７及び図９において、ユーザ階層（ｎ＝１）の識別情報「ＵＳＥＲ８」及び「ＵＳＥＲ９」は、上位の階層であるグループ階層（ｎ＝２）の関連情報「商標」によって集約される。また、グループ階層の「特許」、「意匠」及び「商標」は、上位の階層である部門階層（ｎ＝３）の「知的財産」によって集約される。
【００５１】
ここで、図９において、識別情報「ＵＳＥＲ０」〜「ＵＳＥＲ４」は関連情報「特許」によって、識別情報「ＵＳＥＲ５」〜「ＵＳＥＲ７」は関連情報「意匠」によって、識別情報「ＵＳＥＲ８」及び「ＵＳＥＲ９」は関連情報「商標」によって、それぞれ集約可能である。
【００５２】
印刷装置２００は、集約可能な関連情報の中で、最も少ない関連情報によって集約する（ステップＳ２４）。この結果、図９に示す、識別情報「ＵＳＥＲ８」及び「ＵＳＥＲ９」が関連情報「商標」によって集約され、図１１に示すように、用紙サイズ毎に印刷枚数情報が合計される。これによって新たな記憶容量が管理情報記憶部１３５に確保され、新規のユーザに対する空き領域ができる。
【００５３】
そして、このような状態において、新規のユーザとして識別情報「ＵＳＥＲ１１」が印刷装置２００の使用を開始した場合、図１２に示すように、集約によって確保された空き領域に識別情報「ＵＳＥＲ１１」に関する管理情報が管理情報記憶部１３５に記憶される。
【００５４】
尚、印刷装置２００は、階層ｎに集約可能な識別情報がないと判断する場合には、階層を一段繰り上げる（ステップＳ２５）。当該処理は、集約可能な識別情報ができるまで行われる。これによって、例えば、識別情報を「グループ」、関連情報を「部門」とした集約が可能となる。
【００５５】
このように、印刷枚数情報に付加する識別情報に階層構造を持たせ、管理情報が管理情報記憶部１３５の記憶容量を満たさない印刷装置２００の稼動開始時には、識別情報毎に印刷枚数情報を集計して管理し、記憶容量を満たした場合には、関連情報を使用して識別情報を集約し、管理情報記憶部１３５に新たな記憶容量を確保できる。これにより、管理情報が消去されることが防止でき、印刷装置を管理する管理者にとって管理がし易くなる。
【００５６】
尚、本発明は、上述した第１実施形態から第３実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。また、上述した第１実施形態から第３実施形態では、本発明の印刷制御装置やプログラムを印刷装置に格納する実施形態について説明したが、コンピュータに格納するようにしてもよい。さらに、印刷装置に使用する記憶装置は、印刷装置に内蔵しても、外付けしてもよい。
【産業上の利用可能性】
【００５７】
以上説明したように、本発明によれば、既に記憶された管理情報が縮減手段によって縮減されるため、記憶手段に記憶容量が確保され、新たな管理情報を管理できるため産業上の利用可能性が高い。
【図面の簡単な説明】
【００５８】
【図１】印刷システムの構成図である。
【図２】端末装置におけるコンピュータの機能ブロック図である。
【図３】印刷装置の処理の一例を示すフローチャートである。
【図４】縮減処理前後の管理情報記憶部の一例を示す概念図である。
【図５】印刷装置の処理の一例を示す他のフローチャートである。
【図６】縮減処理前後の管理情報記憶部の一例を示す他の概念図である。
【図７】階層管理されるユーザの概念図である。
【図８】縮減処理前の管理情報記憶部の一例を示す概念図である。
【図９】縮減処理前の管理情報記憶部の一例を示す他の概念図である。
【図１０】印刷装置の処理の一例を示すフローチャートである。
【図１１】縮減処理後の管理情報記憶部の一例を示す概念図である。
【図１２】縮減処理後の管理情報記憶部の一例を示す他の概念図である。
【符号の説明】
【００５９】
１００ａ〜１００ｍ  端末装置
１１０ａ〜１１０ｍ  表示装置
１１１ａ〜１１１ｍ  マウスポインタ
１２０ａ〜１２０ｍ  マウス
１３０ａ〜１３０ｍ  コンピュータ
１３１  入出力部
１３２  ジョブ処理部
１３３  管理情報制御部
１３４  管理情報縮減部
１３５  管理情報記憶部
１３５ａ  空き領域
１３５ｂ  集約対象管理情報
１３５ｃ  集約後管理情報
１３５ｄ  新たな管理情報
１３６  印刷部
２００  印刷装置
３００  ネットワーク
【図１】
2008062528.tif 000003
【図２】
2008062528.tif 000004
【図３】
2008062528.tif 000005
【図４】
2008062528.tif 000006
【図５】
2008062528.tif 000007
【図６】
2008062528.tif 000008
【図７】
2008062528.tif 000009
【図８】
2008062528.tif 000010
【図９】
2008062528.tif 000011
【図１０】
2008062528.tif 000012
【図１１】
2008062528.tif 000013
【図１２】
2008062528.tif 000014